(57)【要約】      （修正有）【課題】ＰＫＩ（公開キー暗号化基盤システム）に基づくテレビ電話データ通信方法を提供する。【解決手段】接続プロシージャの実施の間に、ユーザ識別データの少なくとも１つを格納しているスマートキーがテレビ電話に接続される。ユーザ識別データは、ユーザのＩＤコード、パスワード及び秘密キーを含む。ダウンロードプロシージャの実施の間に、ユーザ識別データが暗号化されてユーザを検証するためにサービスサーバに送信される。次いで、サービスサーバによって提供される少なくとも１つのサービスが暗号化されてテレビ電話にダウンロードされる。解読後、少なくとも１つのサービスがテレビ電話において実行され得る。切断プロシージャの実施の間に、スマートキーがテレビ電話から切り離される。【選択図】図１
2006303875.tif 000002
【特許請求の範囲】
【請求項１】
テレビ電話を用いてユーザにより実行される、テレビ電話データ通信方法において、
前記ユーザの少なくとも１つのユーザ識別データを格納しているスマートキーが前記テレビ電話に接続される、接続プロシージャを実施する工程であって、前記ユーザ識別データは１つの秘密キーを少なくとも含んでいる工程、
サービスサーバにより提供される少なくとも１つのサービスが前記テレビ電話にダウンロードされる、データダウンロードプロシージャを実施する工程、及び
前記スマートキーが前記テレビ電話から切り離される、切断プロシージャを実施する工程、
を有してなることを特徴とするテレビ電話データ通信方法。
【請求項２】
公開キー暗号化基盤システム上で実施されることを特徴とする請求項１に記載のテレビ電話データ通信方法。
【請求項３】
前記ユーザ識別データが識別（ＩＤ）コードまたはパスワードをさらに含むことを特徴とする請求項１に記載のテレビ電話データ通信方法。
【請求項４】
前記スマートキーが有線接続を介して前記テレビ電話に接続され、前記有線接続が、ＵＳＢ、ファイアワイア、セキュアデジタルまたはコンパクトフラッシュ（登録商標）から選ばれることを特徴とする請求項１に記載のテレビ電話データ通信方法。
【請求項５】
前記スマートキーが無線接続を介して前記テレビ電話に接続され、前記無線接続が、ワイファイ、ブルートゥースまたは赤外線から選ばれることを特徴とする請求項１に記載のテレビ電話データ通信方法。
【請求項６】
前記テレビ電話が切られている場合に、前記接続プロシージャが、
前記スマートキーを有線接続を介して前記テレビ電話に接続する工程、
前記テレビ電話をつける工程、及び
前記テレビ電話のパラメータをリセットするためにシステム初期化を実施する工程、
を含むことを特徴とする請求項１に記載のテレビ電話データ通信方法。
【請求項７】
前記テレビ電話がついている場合に、前記接続プロシージャが、
前記スマートキーを前記テレビ電話に接続する工程、
前記テレビ電話を再スタートする工程、及び
前記テレビ電話のパラメータをリセットするためにシステム初期化を実施する工程、
を含むことを特徴とする請求項１に記載のテレビ電話データ通信方法。
【請求項８】
前記スマートキーが、有線接続を介して前記テレビ電話に接続されているか、無線接続を介して前記テレビ電話に接続されているかを決定する工程を、前記接続プロシージャが含むことを特徴とする請求項１に記載のテレビ電話データ通信方法。
【請求項９】
前記データダウンロードプロシージャが、
前記少なくとも１つのユーザ識別データを暗号化する工程、
前記少なくとも１つのユーザ識別データを前記サービスサーバに送信する工程、
前記ユーザを検証する工程、
前記サービスサーバにより提供される前記少なくとも１つのサービスを暗号化する工程、
前記少なくとも１つのサービスを前記テレビ電話にダウンロードする工程、
前記少なくとも１つのサービスを解読する工程、及び
前記テレビ電話において前記少なくとも１つのサービスを実行する工程、
を含むことを特徴とする請求項１に記載のテレビ電話データ通信方法。
【請求項１０】
前記ユーザ識別データがキーサーバから前記サービスサーバに検索される公開キーを用いて暗号化されることを特徴とする請求項９に記載のテレビ電話データ通信方法。
【請求項１１】
前記サービスサーバが前記サービスサーバの秘密キーを用いて前記少なくとも１つのユーザ識別データを検証することにより前記ユーザが検証されることを特徴とする請求項９に記載のテレビ電話データ通信方法。
【請求項１２】
前記少なくとも１つのサービスが前記ユーザの公開キーを用いて暗号化され、前記公開キーは前記キーサーバに格納されていることを特徴とする請求項９に記載のテレビ電話データ通信方法。
【請求項１３】
前記少なくとも１つのサービスが前記秘密キーを用いて暗号化されることを特徴とする請求項９に記載のテレビ電話データ通信方法。
【請求項１４】
前記データダウンロードプロシージャが、前記テレビ電話において少なくとも１つのあらかじめロードされているアプリケーションプログラムを実行する工程をさらに含み、前記少なくとも１つのあらかじめロードされているアプリケーションプログラムは前記スマートキーに格納されていることを特徴とする請求項９に記載のテレビ電話データ通信方法。
【請求項１５】
前記少なくとも１つのサービスが、前記ユーザの少なくとも１つのユーザインターフェース（ＵＩ）、前記ユーザの少なくとも１つの個人データまたは前記ユーザの少なくとも１つのアプリケーションプログラムを含むことを特徴とする請求項９に記載のテレビ電話データ通信方法。
【請求項１６】
前記ユーザインターフェース及び前記個人データがリフレッシュされることを特徴とする請求項１５に記載のテレビ電話データ通信方法。
【請求項１７】
前記ユーザインターフェースが、待機画面、アイコンまたは呼出しメロディーであることを特徴とする請求項１５に記載のテレビ電話データ通信方法。
【請求項１８】
前記個人データが、電話帳、通信ログまたは電話設定であることを特徴とする請求項１５に記載のテレビ電話データ通信方法。
【請求項１９】
前記アプリケーションプログラムが、パッチ、オーディオ−ビデオ（ＡＶ）コーデックまたはカスタマ作成プログラムであることを特徴とする請求項１５に記載のテレビ電話データ通信方法。
【請求項２０】
前記ユーザが前記接続プロシージャを実施する前に正常にログアウトしているか否かを決定する工程をさらに含むことを特徴とする請求項１５に記載のテレビ電話データ通信方法。
【請求項２１】
第１のスマートキー、第２のスマートキー、前記第１のスマートキーに対応する第１のテレビ電話及び前記第２のスマートキーに対応する第２のテレビ電話によって実行される、テレビ電話データ通信方法において、
第１のユーザにより第２のユーザにリクエストを送る工程、
前記第２のユーザが前記リクエストを受諾すれば、前記第１のユーザにより第１のＡＶデータを暗号化する工程、
前記第１のユーザの前記第１のテレビ電話から前記第２のユーザによって用いられる前記第２のテレビ電話に前記暗号化された第１のＡＶデータを送信する工程、及び
前記第２のスマートキーに格納されている第２の秘密キーを用いて前記第２のユーザにより前記暗号化された第１のＡＶデータを解読する工程、
を有してなることを特徴とするテレビ電話データ通信方法。
【請求項２２】
前記第２のユーザにより第２のＡＶデータを暗号化する工程、
前記第２のテレビ電話から前記第１のユーザによって用いられる前記第１のテレビ電話に前記暗号化された第２のＡＶデータを送信する工程、及び
前記第１のスマートキーに格納されている第１の秘密キーを用いて前記第１のユーザにより前記暗号化された第２のＡＶデータを解読する工程、
をさらに含むことを特徴とする請求項２１に記載のテレビ電話データ通信方法。
【請求項２３】
前記第１のＡＶデータがキーサーバから得られる前記第２のユーザの公開キーを用いて前記第１のユーザにより暗号化されることを特徴とする請求項２１に記載のテレビ電話データ通信方法。
【請求項２４】
前記第２のＡＶデータがキーサーバから得られる前記第１のユーザの公開キーを用いて前記第２のユーザにより暗号化されることを特徴とする請求項２２に記載のテレビ電話データ通信方法。
【発明の詳細な説明】
【技術分野】
【０００１】
本発明はデータ通信方法に関し、さらに詳しくは、機密データ及び／または付加価値データの通信に適した、スマートキーによって操作される、端末としてのテレビ電話によるデータ通信方法に関する。
【背景技術】
【０００２】
テレビ電話は、高品位オーディオ−ビデオ（ＡＶ）データ通信を提供するために、Ｈ.３２２、ＳＩＰまたはその他の共通通信プロトコルを用いており、現在発展中の生産品である。ＩＰアドレスをもつユーザは、イーサネット（登録商標）を用い、テレビ電話を利用して、世界中の別のテレビ電話ユーザと対面して交信することができる。テレビ電話は、ｘＤＳＬ（ｘデジタル加入者線）、ケーブル、ＬＡＮ（ローカルエリアネットワーク）及びＶＰＮ（仮想プライベートネットワーク）を含む、全てのＩＰネットワーク構造に適用することができる。広帯域ネットワークに接続されたテレビ電話を介して毎秒３０フレームの実時間画像を送ることができ、したがって、通信教育、リモートモニタリング及びテレビ会議のような遠隔ＡＶ通信の用途をテレビ電話によって達成することができる。
【発明の開示】
【発明が解決しようとする課題】
【０００３】
しかし、ユーザの検証、機密データの通信またはＡＶサービスの購入が必要な場合に、従来のテレビ電話ではこれらの要請を満たすことが困難である。
【課題を解決するための手段】
【０００４】
本発明の第一義的な目的は、データ通信方法、特に、機密データ及び／または付加価値データの通信を実施するために、ＰＫＩ（公開キー暗号化基盤システム）に基づき、（１つまたは複数の）テレビ電話と組み合されたスマートキー内の識別コードを利用する、テレビ電話データ通信方法を提供することにある。
【０００５】
ＰＫＩを用いるスマートキーは、ＩＤコード、パスワード及び秘密キーを持つ。テレビ電話に接続されると、スマートキーはテレビ電話に情報（ＩＤコード、パスワード及び秘密キー）を渡してログインし、サービスの該当権限及び電話帳のようなユーザデータを得る。２人のユーザがそれぞれ自身のテレビ電話を有している場合、それぞれは暗号化されたデータを送信することができる。送信者は公開キーでＡＶデータを暗号化することができ、受信者は秘密キーでＡＶデータを解読することができる。また、ユーザの個人データをこの方法でリスク無しに送信することもできる。
【０００６】
テレビ電話とスマートキーの間の接続には２つのタイプの接続手法が用いられる。有線及び無線である。スマートキーは、電話帳、待機画面、ステータスアイコン及び呼出しメロディーを持つユーザインターフェースを格納することができる。さらに、スマートキーは、カスタマイズされた機能を享有するために、あらかじめロードされたアプリケーションプログラムを格納することができる。一般に、有線型スマートキーはより大量のメモリを備えることができ、上述した大量のデータの格納に特に適している。
【０００７】
上記目的を達成するため、本発明は、テレビ電話及びユーザにより実行される、テレビ電話データ通信方法を開示する。本方法は、接続プロシージャを実施する工程、データダウンロードプロシージャを実施する工程及び切断プロシージャを実施する工程を有してなる。接続プロシージャを実施する工程において、ユーザＩＤコード、パスワードまたは少なくとも１つの秘密キーである、（スマートキー保持者の）ユーザ識別データの内の少なくとも１つのタイプを持つスマートキーが用いられる。データダウンロードプロシージャを実施する工程は、ユーザ識別データを暗号化する工程、ユーザ識別データをサービスサーバに送信する工程、ユーザを検証する工程、サービスサーバにより提供されるサービスを暗号化する工程、サービスをテレビ電話にダウンロードする工程、サービスを解読する工程及びテレビ電話においてサービスを実行する工程をさらに含む。
【０００８】
上述したサービスサーバからのサービスへの直接アクセスに加えて、２人のユーザがそれぞれ自分のテレビ電話及びスマートキーを有していれば（例えば、第１のユーザが第１のスマートキー及び第１のテレビ電話を持ち、第２のユーザが第２のスマートキー及び第２のテレビ電話を持っていれば）、２人のユーザは暗号化されたＡＶデータを両者間で送信できる。この種の通信を確立するため、テレビ電話データ通信方法が以下のように開示される。
【０００９】
はじめに、第１のユーザが第２のユーザにリクエストを送る。第２のユーザがリクエストを受諾すれば、第１のユーザは第１のＡＶデータを暗号化し、第１の暗号化されたＡＶデータを第２のユーザの第２のテレビ電話に送る。次いで、第２のユーザは暗号化されたＡＶデータを第２のスマートキーに格納されている秘密キーを用いて解読する。一方で、第２のユーザは第２のＡＶデータを暗号化して、第２の暗号化されたＡＶデータを第１のユーザの第１のテレビ電話に送ることができる。第２の暗号化されたＡＶデータの受取り後、第１のユーザは第２の暗号化されたＡＶデータを解読することができる。
【発明を実施するための最良の形態】
【００１０】
添付図面によって本発明を説明する。
【００１１】
図１は本発明のテレビ電話データ通信方法を実施するシステム図である。本システムは、サービスサーバ３１，キーサーバ３２，通信ネットワーク３３，テレビ電話３４，別のテレビ電話３５，第１のスマートキー３６及び第２のスマートキー３７を備える。サービスサーバ３１は、ムービーオンデマンド、会議サービス、ＩＰ電話、サービス品質等のようないくつかのサービスをテレビ電話３４，３５のユーザに提供する。キーサーバ３２は、公開キーをネットワーク上のユーザに提供する。通信ネットワーク３３は、ｘＤＳＬ（ｘデジタル加入者線）、ケーブル、ＬＡＮ（ローカルエリアネットワーク）、ＶＰＮ（仮想プライベートネットワーク）、インターネット、ＩＳＤＮ（統合サービスデジタルネットワーク）及び一般の電話回線を含むＩＰネットワーク構造の内のいずれかとすることができる。第１のユーザに保有される第１のスマートキー３６は、第１のユーザのＩＤコード、パスワードまたは第１の秘密キーである、ユーザ識別データの内の少なくとも１つを格納するメモリデバイスである。第１のスマートキー３６は、複数のアプリケーションプログラム、複数のアイコン及び複数のデジタル写真も格納する。第１のスマートキー３６がテレビ電話３４に接続された後、テレビ電話３４においてアプリケーションプログラムを実行することができ、デジタル写真をウエルカム画面として選ぶことができる。テレビ電話とスマートキーの間の接続には２つのタイプの接続手法が用いられる。有線及び無線である。有線接続手法には、ＵＳＢ（ユニバーサルシリアルバス）、ファイアワイア（またはＩＥＥＥ１３９４インターフェース）、ＳＤ（セキュアデジタル）またはＣＦ（コンパクトフラッシュ（登録商標））がある。無線接続手法には、ワイ−ファイ（ワイアレスフィディリティ）、ブルートゥースまたはＩＲ（赤外線）がある。本発明の実施形態の図１は、第１のスマートキー３６とテレビ電話３４の間の無線接続及び第２のスマートキー３７とテレビ電話３５の間の有線接続を示す。
【００１２】
図２は本発明のテレビ電話データ通信方法のフローチャートである。初めに、接続を確立するために第１のスマートキー３６がテレビ電話３４に接続される。次いで、サービスサーバ３１によって提供される少なくとも１つのサービスをテレビ電話３４にダウンロードするためにデータダウンロードプロシージャが実施される（Ｓ２０）。最後に、第１のスマートキー３６をテレビ電話３４から切り離すために切断プロシージャが実施される（Ｓ３０）。
【００１３】
図３はクールプラグ及びウォームプラグ条件の下で接続プロシージャ（Ｓ１０）を実施する詳細なフローチャートを示す。第１のユーザがテレビ電話３４に接続するための第１のスマートキー３６を保持していれば、テレビ電話３４は接続タイプ及び接続条件を決定する（Ｓ１０１）。以降で説明される、クールプラグ、ウォームプラグ及びホットプラグの３つの接続条件がある。テレビ電話３４が切られている場合には、第１のスマートキー３６は有線接続（すなわち、クールプラグ）でしかテレビ電話３４に接続されない。接続後、第１のユーザはテレビ電話３４をつけて（Ｓ１０２）、テレビ電話３４のパラメータをリセットするためのシステム初期化を実施する（Ｓ１０５）。テレビ電話３４が既についており（すなわち、正規の動作状態）、再スタートが必要であり（例えばＩＰアドレスが変更された場合）、第１のスマートキー３６が既にテレビ電話３４に接続されている（すなわち、ウォームプラグ）場合には、テレビ電話３４は再スタートされ（Ｓ１０３）、次いでテレビ電話３４のパラメータをリセットするためのシステム初期化が実施される（Ｓ１０５）。システム初期化後、適切な接続の確立を確認するために第１のスマートキーの検出が実施される（Ｓ１０４）。
【００１４】
図４はホットプラグ条件において接続プロシージャ（Ｓ１０）を実施するフローチャートを示す。この条件においては、テレビ電話３４が既につけられており、待機モードにある。初めに、テレビ電話３４がスマートキーによって占有されているか否かを決定する（Ｓ１０６）。テレビ電話３４が占有されていれば、テレビ電話３４は待機モードのままでいるであろう。テレビ電話３４が占有されていなければ、第１のスマートキー３６が有線または無線接続によってテレビ電話３４に接続された後、適切な接続の確立を確認するためにスマートキーの検出が直ちに実施される（Ｓ１０４）。
【００１５】
図５はデータダウンロードプロシージャ（Ｓ２０）を実施する詳細なフローチャートを示す。第１のスマートキー３６とテレビ電話３４の間の接続後、第１のスマートキー３６内のユーザ識別データがサービスサーバ３１の公開キーを用いて暗号化され、暗号化されたユーザ識別データがサービスサーバ３１に送信される（Ｓ２０１）。サービスサーバ３１の公開キーはキーサーバ３２から検索される。次いで、サービスサーバ３１は、第１のユーザを確認するために自身の秘密キーを用いて、暗号化されたユーザ識別データを検証する（Ｓ２０２）。その後、サービスサーバ３１は、キーサーバ３２から第１のユーザの公開キーを検索して、サービスサーバ３１によって提供される少なくとも１つのサービスを暗号化し、次いで暗号化された少なくとも１つのサービスをテレビ電話３４にダウンロードする（Ｓ２０３）。次いで、テレビ電話３４は第１のユーザの秘密キーを用いて少なくとも１つのサービスを解読する。少なくとも１つのサービスには、第１のユーザの少なくとも１つのＵＩ（ユーザインターフェース）、第１のユーザのユーザ個人データの内の少なくとも１つ及び第１のユーザの少なくとも１つのアプリケーションプログラムがある。ＵＩは、待機画面、アイコン及び呼出しメロディー等を含む。ユーザの個人データは、電話帳、通話ログ及び電話設定等を含む。アプリケーションプログラムは、パッチ、ＡＶコーデック及びカスタマ作成プログラム等を含む。最後に、ローカルサービスプロシージャが実行される（Ｓ２０５）。これは、少なくとも１つのサービスまたは少なくとも１つのあらかじめロードされたアプリケーションプログラムがテレビ電話３４で実行されることを意味する。あらかじめロードされたアプリケーションプログラムは、サービスサーバ３１によって提供されるのではなく、スマートキー３６に事前に格納されている。さらに、少なくとも１つのサービスは、ムービーオンデマンド、会議サービス、ＩＰ電話、サービス品質等のようなオンラインサービス、または、テレビ電話３４に完全にダウンロードされてテレビ電話３４で実行されるオフラインサービスを含むことができる。
【００１６】
図６はローカルサービス（Ｓ２０５）を実行するフローチャートを示す。少なくとも１つのサービスがテレビ電話３４にダウンロードされた後、テレビ電話３４は少なくとも１つのサービスが個人ＵＩを含んでいるか否かをチェックするであろう（Ｓ２０５ａ）。個人ＵＩが含まれていれば、個人ＵＩがテレビ電話３４にロードされ、以前の個人ＵＩを更新する（Ｓ２０５ｂ）。その後、テレビ電話３４は少なくとも１つのサービスがユーザの個人データを含んでいるか否かをチェックする（Ｓ２０５ｃ）。ユーザ個人データが含まれていれば、ユーザ個人データがテレビ電話３４にロードされ、以前のユーザ個人データを更新する（Ｓ２０５ｄ）。次いで、テレビ電話３４は少なくとも１つのサービスが少なくとも１つのアプリケーションプログラムを含んでいるか否かをチェックする（Ｓ２０５ｅ）。アプリケーションプログラムが含まれていれば、アプリケーションプログラムがロードされて実行される（Ｓ２０５ｆ）。
【００１７】
第１のユーザがテレビ電話３４から第１のスマートキー３６を切り離したい場合、切断プロシージャ（Ｓ３０）が実施される。図７は切断プロシージャのフローチャートを示す。本プロシージャは以下のように説明される。第１のユーザにユーザの個人データをセーブするように促すプロンプトが表示される（Ｓ３０１）。ユーザ個人データが修正及び変更されていれば、ユーザ個人データがセーブされる（Ｓ３０２）。データセーブ後、スマートキーを切り離す前に、接続タイプのチェックが実施される（Ｓ３０３）。無線接続が用いられていれば、テレビ電話３４は正規の動作状態に移行する。有線接続が用いられていれば、テレビ電話３４は第１のスマートキーを切り離すように指示する（Ｓ３０４）。その後、テレビ電話３４は第１のスマートキー３６が切り離されているか否かをチェックする（Ｓ３０５）。第１のスマートキー３６が切り離されていれば、テレビ電話３４は正規の動作状態に移行する。
【００１８】
図８は、正常ではない切断のフローチャートを示す。有線タイプの第１のスマートキーが図７のフローチャートにしたがわずに切り離された場合、テレビ電話３４はおこり得るデータ喪失を第１のユーザに告げるために警告プロンプトを表示する（Ｓ３１１）。次いで、テレビ電話３４は第１のスマートキー３６がある時間内に再接続されたか否かをチェックする（Ｓ３１２）。第１のスマートキー３６がある時間内に再接続されれば、テレビ電話３４は正規の動作状態に移行し、そうでなければ、全ての変更を棄却して（Ｓ３１３）、正規の動作状態に移行する。
【００１９】
第１のユーザ及び第２のユーザが第１のスマートキー３６及び第２のスマートキー３７をそれぞれ保有している場合、第１のユーザ及び第２のユーザはいずれも、公開キーを用いて暗号化されたＡＶデータを相互に通信することができ、秘密キーを用いてＡＶデータを解読することができる。２人のユーザによる、個々のスマートキー及びテレビ電話を用いる暗号化通信のフローチャートを以下に説明する。
【００２０】
図９を参照すれば、スマートキーとテレビ電話との接続が確立されると、第１のユーザが第２のユーザにリクエストを送り、第２のユーザの回答を待つ（Ｓ４１）。次いで、テレビ電話３４は回答が受諾であるか拒否であるかをチェックする（Ｓ４２）。回答が“受諾”であれば、第１のユーザは、キーサーバ３２から検索される、第２のユーザの公開キーを用いて第１のＡＶデータを暗号化し、暗号化された第１のＡＶデータを第２のユーザに送信する（Ｓ４３）。その後、第２のユーザは、第２のスマートキー３７に格納されている、第２のユーザの秘密キーを用いて暗号化された第１のＡＶデータを解読する（Ｓ４４）。一方で、第２のユーザは、キーサーバ３２から検索される、第１のユーザの公開キーを用いて第２のＡＶデータを暗号化し、暗号化された第２のＡＶデータを第１のユーザに送信することができる（Ｓ４５）。次いで、第１のユーザは、第１のスマートキー３６に格納されている、第１のユーザの秘密キーを用いて暗号化された第２のＡＶデータを解読し（Ｓ４６）、通信完了後はいずれのテレビ電話３６，３７もそれぞれの正規の動作状態に移行する。回答が“拒否”であれば、拒否のメッセージが表示され、通信は非暗号化状態のままであって、通信完了後はいずれのテレビ電話３６，３７もそれぞれの正規の動作状態に移行する。
【００２１】
本発明の上述した実施形態は説明だけが目的とされている。当業者であれば、添付される特許請求の範囲を逸脱することなく数多くの別の実施形態を案出することができる。
【図面の簡単な説明】
【００２２】
【図１】本発明のテレビ電話データ通信方法を実施するシステム図である
【図２】本発明のテレビ電話データ通信方法のフローチャートである
【図３】接続プロシージャを実施するフローチャートを示す
【図４】接続プロシージャを実施するフローチャートを示す
【図５】データダウンロードプロシージャを実施するフローチャートを示す
【図６】ローカルサービスプロシージャを実施するフローチャートを示す
【図７】切断プロシージャを実施するフローチャートを示す
【図８】切断プロシージャを実施するフローチャートを示す
【図９】本発明の暗号化通信のフローチャートを示す
【符号の説明】
【００２３】
３１    サービスサーバ
３２    キーサーバ
３３    通信ネットワーク
３４，３５    テレビ電話
３６，３７    スマートキー
【図１】
2006303875.tif 000003
【図２】
2006303875.tif 000004
【図３】
2006303875.tif 000005
【図４】
2006303875.tif 000006
【図５】
2006303875.tif 000007
【図６】
2006303875.tif 000008
【図７】
2006303875.tif 000009
【図８】
2006303875.tif 000010
【図９】
2006303875.tif 000011
【外国語明細書】
2006303875000001.pdf